(57)【要約】【課題】低コスト化を図ることができるＲＦＩＤリードライト装置を提供する。【解決手段】各ＩＤタグ１１〜２６に対応するとともに対応したＩＤタグのみとＩＤデータの遣り取りが行える第１〜第１６のアンテナブロック３１〜４６を設ける。各アンテナブロック３１〜４６を、通信線５１を介して互いに接続するとともに、コントローラ５２に接続し、コントローラ５２は、各アンテナブロック３１〜４６のそれぞれとデータの遣り取りを行う。コントローラ５２を、通信回線５３を介してホストマシン５４に接続し、コントローラ５２とホストマシン５４とで通信できるように構成する。【選択図】        図１
2007148742.tif 000002
【特許請求の範囲】
【請求項１】
複数のＩＤタグに対してＩＤデータを読み書きするＲＦＩＤリードライト装置において、
読み書き対象とする総てのＩＤタグにそれぞれ対応したアンテナブロックと、
前記各アンテナブロックに接続され各アンテナブロックのそれぞれとデータの遣り取りを行うとともに、ホストマシンと通信可能に接続されるコントローラと、
を備えたことを特徴とするＲＦＩＤリードライト装置。
【請求項２】
前記アンテナブロックは、対応するＩＤタグからＩＤデータを受信した際に、該ＩＤデータを前記コントローラへ送信する一方、
前記コントローラは、
前記アンテナブロックから送信されたＩＤデータを受信した際に、該ＩＤデータを送信したアンテナブロックを示す識別子と共に当該ＩＤデータを前記ホストマシンに送信する読取データ転送手段と、
書き込み用のＩＤデータを特定のＩＤタグに対して書き込む旨のコマンドを前記ホストマシンから受信した際に、前記特定のＩＤタグに対応するアンテナブロックに対して前記書き込み用のＩＤデータを送信する書込データ転送手段と、
を備えたことを特徴とする請求項１記載のＲＦＩＤリードライト装置。
【発明の詳細な説明】
【技術分野】
【０００１】
本発明は、ＩＤタグに記憶されたＩＤデータの読み込み及び書き込みを行うＲＦＩＤリードライト装置に関する。
【背景技術】
【０００２】
従来、ＩＤタグに記憶されたＩＤデータの読み込み及び書き込みを行う際には、図４に示すように、ＲＦＩＤリードライト装置８０１が用いられていた。
【０００３】
このＲＦＩＤリードライト装置８０１は、ＩＤタグと通信する為のアンテナ８１１と、該アンテナ８１１との間でアナログデータを遣り取りするコントローラ８１２とによって構成されており、該コントローラ８１２は、ホストマシンに接続されるように構成されている。
【０００４】
これにより、前記ＩＤタグから送信されたＩＤデータを前記アンテナ８１１で受信した際には、この受信したアナログのＩＤデータを前記コントローラ８１２でデジタル化し、このデジタル化されたＩＤデータを前記ホストマシンに送信するように構成されている。
【０００５】
一方、ＩＤタグにＩＤデータを書き込む際には、ホストマシンから書き込み用のＩＤデータを前記コントローラ８１２に送信すると、該コントローラ８１２では、このＩＤデータをアナログ化して前記アンテナ８１１に送る。すると、該アンテナ８１１から前記ＩＤタグに対してＩＤデータが送信され、当該ＩＤデータが前記ＩＤタグに書き込まれる。
【発明の開示】
【発明が解決しようとする課題】
【０００６】
しかしながら、このようなＲＦＩＤリードライト装置８０１にあっては、アンテナ８１１とＩＤタグとが対応関係にあり、複数のＩＤタグと遣り取りする際には、各ＩＤタグに対応した数のアンテナ８１１，・・・とコントローラ８１２，・・・とが必要となる。同様に、各コントローラ８１２，・・・とホストマシンとを接続する接続ラインや接続ポートもＩＤタグの数に合わせて用意する必要があった。
【０００７】
これにより、システムのコストが増大するという問題があった。
【０００８】
本発明は、このような従来の課題に鑑みてなされたものであり、低コスト化を図ることができるＲＦＩＤリードライト装置を提供することを目的とするものである。
【課題を解決するための手段】
【０００９】
前記課題を解決するために本発明の請求項１のＲＦＩＤリードライト装置にあっては、複数のＩＤタグに対してＩＤデータを読み書きするＲＦＩＤリードライト装置において、読み書き対象とする総てのＩＤタグにそれぞれ対応したアンテナブロックと、前記各アンテナブロックに接続され各アンテナブロックのそれぞれとデータの遣り取りを行うとともに、ホストマシンと通信可能に接続されるコントローラと、を備えている。
【００１０】
すなわち、本発明のＲＦＩＤリードライト装置は、読み書き対象とする総てのＩＤタグと同数のアンテナブロックと、各アンテナブロックに接続され各アンテナブロックのそれぞれとデータの遣り取りを行う単一のコントローラとによって構成されている。
【００１１】
そして、前記各アンテナブロックとホストマシンとの遣り取りは、前記コントローラを介して行われる。
【００１２】
また、請求項２のＲＦＩＤリードライト装置においては、前記アンテナブロックは、対応するＩＤタグからＩＤデータを受信した際に、該ＩＤデータを前記コントローラへ送信する一方、前記コントローラは、前記アンテナブロックから送信されたＩＤデータを受信した際に、該ＩＤデータを送信したアンテナブロックを示す識別子と共に当該ＩＤデータを前記ホストマシンに送信する読取データ転送手段と、書き込み用のＩＤデータを特定のＩＤタグに対して書き込む旨のコマンドを前記ホストマシンから受信した際に、前記特定のＩＤタグに対応するアンテナブロックに対して前記書き込み用のＩＤデータを送信する書込データ転送手段とを備えている。
【００１３】
すなわち、前記アンテナブロックにおいて、対応するＩＤタグからＩＤデータを受信した際には、該ＩＤデータを前記コントローラへ送信する。すると、このＩＤデータを受信したコントローラにおいては、ＩＤデータを送信したアンテナブロックを示す識別子と共に当該ＩＤデータを前記ホストマシンに送信する。
【００１４】
これにより、ホストマシンでは、どのＩＤタグから、どのようなＩＤデータが送られて来かが確認される。
【００１５】
一方、書き込み用のＩＤデータを特定のＩＤタグに対して書き込む旨のコマンドが前記ホストマシンから送られて来た際には、前記特定のＩＤタグに対応するアンテナブロックに対して前記書き込み用のＩＤデータを送信する。
【００１６】
このとき、ＩＤタグとアンテナとは、対応関係にある。このため、ホストマシンで特定したＩＤタグに前記書き込み用のＩＤデータが書き込まれる。
【発明の効果】
【００１７】
以上説明したように本発明の請求項１のＲＦＩＤリードライト装置にあっては、読み書き対象とする総てのＩＤタグと同数のアンテナブロックと、各アンテナブロックに接続され各アンテナブロックのそれぞれとデータの遣り取りを行う単一のコントローラとによって、複数のＩＤタグに対してＩＤデータを読み書きするＲＦＩＤリードライト装置を構成することができる。
【００１８】
このため、読み書き対象となるＩＤタグと同数のコントローラを必要とした従来と比較して、コントローラの数を削減することができ、低コスト化を実現することができる。
【００１９】
同様に、前記コントローラとホストマシンとを接続する接続ラインや接続ポート数も削減することができる。
【００２０】
また、請求項２のＲＦＩＤリードライト装置においては、アンテナブロックを示す識別子を用いることによって、ホストマシンでは、どのＩＤタグから、どのようなＩＤデータが送られて来かを確認することができる。
【００２１】
このため、読み書き対象となるＩＤタグを増加した場合であっても、該ＩＤタグに対応するアンテナブロックを増設するとともに、このアンテナブロックの識別子をホストマシンに登録するだけで、これに対応することができる。
【００２２】
一方、書き込み用のＩＤデータを特定のＩＤタグに書き込む際には、この特定のＩＤタグに対応するアンテナブロックに対して前記書き込み用のＩＤデータを送信することで、特定したＩＤタグに前記書き込み用のＩＤデータを書き込むことができる。
【発明を実施するための最良の形態】
【００２３】
以下、本発明の一実施の形態を図面に従って説明する。図１は、本実施の形態にかかるＲＦＩＤリードライト装置１を示す図であり、該ＲＦＩＤリードライト装置１は、ＩＤタグに記憶されたＩＤデータの読み込みや書き込みを行う装置である。
【００２４】
このＲＦＩＤリードライト装置１は、ＲＦＩＤ（Ｒａｄｉｏ  Ｆｒｅｑｕｅｎｃｙ  Ｉｄｅｎｔｉｆｉｃａｔｉｏｎ）方式によって第１〜第１６のＩＤタグ１１〜２６に対してＩＤデータを読み書きできるように構成されており、前記各ＩＤタグ１１〜２６に対応するとともに、対応したＩＤタグのみとＩＤデータの遣り取りが行える第１〜第１６のアンテナブロック３１〜４６を備えている。
【００２５】
各アンテナブロック３１〜４６は、通信線５１を介して互いに接続されるとともに、コントローラ５２に接続されており、該コントローラ５２は、前記各アンテナブロック３１〜４６のそれぞれとデータの遣り取りを行えるように構成されている。このコントローラ５２は、通信回線５３を介してホストマシン５４に接続されており、該ホストマシン５４と通信できるように構成されている。
【００２６】
図２は、その詳細を示す図であり（第１のアンテナブロック３１のみを図示）、前記各アンテナブロック３１〜４６を構成するアンテナ基板６１には、対応したＩＤタグ１１と電波で遣り取りする為のアンテナ６２が形成されている。このアンテナ６２は、アナログ制御部６３が接続されており、該アナログ制御部６３は、通信用の電波を送受信す為の変調回路や復調回路及び受信アンプ等で構成されている。
【００２７】
このアナログ制御部６３には、デジタル制御部７１が接続されており、前記ＩＤタグ１１からＩＤデータを受信した際に、これを復調してアナログのＩＤデータとして前記デジタル制御部７１へ出力するように構成されている。また、前記デジタル制御部７１から書き込み用のＩＤデータが入力された際には、これをＡＳＫ変調してアンテナ６２から出力するように構成されている。
【００２８】
前記デジタル制御部７１は、Ａ／Ｄ変換部やＤ／Ａ変換部を備えており、当該デジタル制御部７１は、前記コントローラ５２と通信する為の通信ドライバ７２に接続されている。これにより、前記デジタル制御部７１は、前記アナログ制御部６３から送られて来たアナログのＩＤデータを前記Ａ／Ｄ変換部でデジタル化して前記通信ドライバ７２へ出力する一方、該通信ドライバ７２から送られて来たデジタルのＩＤデータをＤ／Ａ変換部でアナログ化して、前記アナログ制御部６３へ出力するように構成されている。
【００２９】
そして、デジタル制御部７１には、アドレス設定部８１が接続されており、当該アンテナ基板６１を識別する為の識別子としてのターミナルアドレスを設定できるように構成されている。これにより、前記通信ドライバ７２は、前記コントローラ５２と通信する際に、前記アドレス設定部８１で設定された前記ターミナルアドレスを通信データに付加するように構成されている。
【００３０】
また、前記コントローラ５２を構成するコントローラ基板９１には、前記各アンテナブロック３１〜４６と通信する為の通信ドライバ９２が設けられており、該通信ドライバ９２は、デジタル制御部９３に接続されている。
【００３１】
該デジタル制御部９３は、マイコンを中心に構成されており、前記通信ドライバ９２を介して前記各アンテナブロック３１〜４６に対して常時ポーリングセレクションを行うように構成されている。また、このデジタル制御部９３は、各アンテナブロック３１〜４６からＩＤデータを受信した際に、該ＩＤデータを送信したアンテナブロック３１〜４６のターミナルアドレスを、受信したＩＤデータと共に、ホスト通信ドライバ１０１を介して、前記ホストマシン５４へ送信するように構成されている。
【００３２】
また、前記デジタル制御部９３は、前記ホストマシン５４から送られて来たコマンドを前記ホスト通信ドライバ１０１を介して受信するとともに、このコマンドに応じた処理、例えばホストマシン５４より特定のＩＤタグに対してＩＤデータを書き込む旨の書込コマンドが送られて来た際には、この特定されたＩＤタグに対応するアンテナブロックに対して書き込み用のＩＤデータを、前記通信ドライバ９２を介して送信するように構成されている。
【００３３】
図３は、当該ＲＦＩＤリードライト装置１の動作を示すフローチャートであり、前記コントローラ５２は、前記各アンテナブロック３１〜４６を構成するアンテナ基板６１に対して常時ポーリングセレクションを行い（Ｓ１）、総てのアンテナブロック３１〜４６のポーリングを一巡した際には、各アンテナブロック３１〜４６からＩＤデータが送信されたか否かを判断する（Ｓ２）。
【００３４】
この判断において、いずれのアンテナブロック３１〜４６からもＩＤデータが送信されていない場合には、ステップＳ４へ分岐する一方、いずれかのアンテナブロック３１〜４６からＩＤデータが送信された場合には、このＩＤデータを付加されたターミナルアドレスと共に受信し、このアンテナブロックを示す識別子としての前記ターミナルアドレスを、当該ＩＤデータと共に前記ホストマシン５４に送信する（Ｓ３）。
【００３５】
次に、前記コントローラ５２は、前記ホストマシン５４から書込コマンドが送られて来たか否かを判断し（Ｓ４）、書込コマンドが送られて来ない場合には、前記ステップＳ１へ分岐する。このとき、前記ホストマシン５４から前記書込コマンドが送られて来た場合には、この書込コマンドに付加された書き込み用のＩＤデータと、当該ＩＤデータの書込対象となるＩＤタグを示す識別番号とを受信するとともに、この識別番号が示すＩＤタグに対応するアンテナブロックのターミナルアドレスを抽出し、このターミナルアドレスのアンテナブロックのアンテナ基板６１に対して前記書き込み用のＩＤデータを送信した後（Ｓ５）、前記ステップＳ１へ移行する。
【００３６】
すると、この書き込み用のＩＤデータを受信したアンテナ基板６１では、前記ＩＤデータをアナログ化してアンテナ６２から出力することによって、当該アンテナブロックに対応するＩＤタグに前記ＩＤデータが書き込まれる。
【００３７】
以上の構成において、読み書き対象とする総てのＩＤタグ１１〜２６と同数のアンテナブロック３１〜４６と、各アンテナブロック３１〜４６に接続され各アンテナブロック３１〜４６のそれぞれとデータの遣り取りを行う一つのコントローラ５２とによって、複数のＩＤタグ１１〜２６に対してＩＤデータを読み書きするＲＦＩＤリードライト装置１を構成することができる。
【００３８】
このため、読み書き対象となるＩＤタグ１１〜２６と同数のコントローラを必要とした従来と比較して、コントローラ５２の数を削減することができ、低コスト化を実現することができる。
【００３９】
同様に、前記コントローラ５２とホストマシン５４とを接続する通信回線５３やホストマシン５４での接続ポート数も削減することができる。
【００４０】
前記コントローラ５２と前記ホストマシン５４との通信において、各アンテナブロック３１〜４６を示す識別子としてのターミナルアドレスを用いることによって、前記ホストマシン５４では、どのＩＤタグから、どのようなＩＤデータが送られて来かを確認することができる。
【００４１】
このため、読み書き対象となるＩＤタグを増加した場合であっても、該ＩＤタグに対応するアンテナブロックを増設するとともに、このアンテナブロックに設定したターミナルアドレスをホストマシン５４に登録するだけで、これに対応することができる。
【００４２】
一方、書き込み用のＩＤデータを特定のＩＤタグに書き込む際には、この特定のＩＤタグに対応するアンテナブロックに対して前記書き込み用のＩＤデータを送信することにより、特定したＩＤタグに前記書き込み用のＩＤデータを書き込むことができる。
【図面の簡単な説明】
【００４３】
【図１】本発明の一実施の形態を示すブロック図である。
【図２】同実施の形態の詳細を示すブロック図である。
【図３】同実施の形態の動作を示すフローチャートである。
【図４】従来のＲＦＩＤリードライト装置を示すブロック図である。
【符号の説明】
【００４４】
１    ＲＦＩＤリードライト装置
１１    第１のＩＤタグ
３１    第１のアンテナブロック
５４    ホストマシン
【図１】
2007148742.tif 000003
【図２】
2007148742.tif 000004
【図３】
2007148742.tif 000005
【図４】
2007148742.tif 000006